(57)【要約】【課題】カッターで、例えば、間柱に筋違い欠き溝を形成する場合のように、木材の上面部に溝を形成する場合、その溝の端部にバリを発生させることのない木材の溝形成方法を提供する。【解決手段】木材３の上面部にカッターで直線状の溝４を形成する方法であって、木材３の左側に反時計回り方向に回転する第一のカッター１を設ける共に、第一のカッター１の右側に、直列状に、時計回り方向に回転する第二のカッター２を設け、第一のカッター１および第二のカッター２を、木材３と相対的に垂直移動および水平移動させ、第一のカッター１で前記木材３の略左半部に第一半溝部４ａを形成すると共に、第二のカッター２で前記木材３の略右半部に第二半溝部４ｂを形成して、直線状の溝４を形成する。【選択図】      図２
2005297427.tif 000002
【特許請求の範囲】
【請求項１】
木材（３）の上面部にカッターで直線状の溝（４）を形成する方法であって、
前記木材の左側に反時計回り方向に回転する第一のカッター（１）を設ける共に、前記第一のカッターの右側に、直列状に、時計回り方向に回転する第二のカッター（２）を設け、
前記第一のカッターおよび第二のカッターを、前記木材と相対的に垂直移動および水平移動させ、前記第一のカッターで前記木材の略左半部に第一半溝部（４ａ）を形成すると共に、前記第二のカッターで前記木材の略右半部に第二半溝部（４ｂ）を形成して、前記直線状の溝を形成してなる木材の溝形成方法。
【請求項２】
第一のカッター（１）および第二のカッター（２）の垂直移動と水平移動を、それぞれ、同期して、または非同期で行ってなる請求項１に記載の木材の溝形成方法。
【発明の詳細な説明】
【技術分野】
【０００１】
本発明は、例えば、間柱に筋違い欠きを形成するなどの、木材の上面部に溝を形成するための方法に関するものである。
【背景技術】
【０００２】
図１を参照して説明する。従来、木材（例えば、間柱）３に筋違い欠き等の溝４を形成する場合、例えば、時計回り方向に回転するカッター５を、当該木材３の上面部に沿って右から左に水平移動させて行っている。この木材の溝形成方法では、カッター５を一方向に移動させるのみで容易に溝４を形成することができるといった利点がある。
【発明の開示】
【発明が解決しようとする課題】
【０００３】
しかし、この従来技術においては、溝４の左側端部にバリ６が発生するといった問題がある。このバリ６は、当該左側端部において、木材３が外方に押し出されるようにして削られるために発生するものである。このバリ６の発生によって、木材製品の見栄えが悪くなり、また、バリ６を切除するためには後加工が必要となる。こうしたことから、カッターで木材３に溝４を形成する際に、こうしたバリ６が発生しないようにすることが望まれる。
【０００４】
本発明はこうした問題に鑑み創案されたもので、カッターで、例えば、間柱に筋違い欠き溝を形成する場合のように、木材の上面部に溝を形成する場合、その溝の端部にバリを発生させることのない木材の溝形成方法を提供することを課題とする。
【課題を解決するための手段】
【０００５】
図２乃至図４を参照して説明する。請求項１に記載の発明は、木材３の上面部にカッターで直線状の溝４を形成する方法であって、前記木材３の左側に反時計回り方向に回転する第一のカッター１を設ける共に、前記第一のカッター１の右側に、直列状に、時計回り方向に回転する第二のカッター２を設け、前記第一のカッター１および第二のカッター２を、前記木材３と相対的に垂直移動および水平移動させ、前記第一のカッター１で前記木材３の略左半部に第一半溝部４ａを形成すると共に、前記第二のカッター２で前記木材３の略右半部に第二半溝部４ｂを形成して、直線状の溝４を形成してなるものである。
【０００６】
請求項２に記載の発明は、請求項１における第一のカッター１および第二のカッター２の垂直移動と水平移動を、それぞれ、同期して、または非同期で行ってなる。すなわち、第一のカッター１と第二のカッター２の垂直移動を同期または非同期で行い、また、第一のカッター１と第二のカッター２の水平移動を同期または非同期で行うものである。
【発明の効果】
【０００７】
請求項１に記載の木材の溝形成方法は、木材３の左側に設けられ、反時計回りに回転する第一のカッター１で当該木材３のほぼ左半部に第一半溝部４ａを形成し、同木材３の左側に設けられ、時計回り方向に回転する第二のカッター２で当該木材３のほぼ右半部に第二半溝部４ｂを形成して、両半溝部４ａ，４ｂによって直線状の溝４を形成するので、溝４の端部にバリ６が発生するのを未然に防止することができる。
【０００８】
すなわち、木材３の左側端部は反時計回り方向に回転する第一のカッター１で削るので、当該左側端部は木材３の中央方向に向かって削られ、よってバリ６が発生しない。また、木材３の右側端部は時計回り方向に回転する第二のカッター２で削られるので、当該右側端部は同様に木材３の中央方向に向かって削られ、従ってバリ６が発生しない。
【０００９】
請求項２に記載の発明は、第一のカッター１および第二のカッター２の垂直移動と水平移動を、それぞれ、同期して、または非同期で行うので、請求項１に記載の発明と同様、溝４の端部にバリ６が発生するのを防止することができると共に、形成する溝４の長さ（木材３の幅）によって、同期させ、また非同期させることによって、長さの異なる溝４をいずれも容易に形成することができる。
【００１０】
すなわち、例えば、形成する溝４が短い場合には、第一のカッター１と第二のカッター２を同期して垂直移動（下降移動）させて同時に第一半溝部４ａと第二半溝部４ｂを形成した後、同じく同期して左側または右側へ水平移動させ、直線状の溝４を形成することができる。
【００１１】
また、形成する溝４が長い場合には、木材３の左右両方から第一のカッター１と第二のカッター２をそれぞれ中央側に向かって水平移動させて同時に第一半溝部４ａと第二半溝部４ｂを形成した後、第一のカッター１（または第二のカッター２）を逆方向へ水平移動させながら第二のカッター２（または第一のカッター１）をそのまま同一方向へ水平移動させることによって、直線状の溝４を形成することができる。
【発明を実施するための最良の形態】
【００１２】
本発明に係る木材の溝形成方法の第一実施形態を、図２に示す。この第一実施形態は、木材３の左側上方に反時計回り方向に回転する第一のカッター１を設けると共に、その右側の同一水平線上に、直列状に、時計回り方向に回転する第二のカッター２を設けている。この第一のカッター１と第二のカッター２は、同期して、垂直移動と水平移動の両方を行うように設定されている。また、第二のカッター２を、第一のカッター１より木材３の中央寄りに設けている。
【００１３】
そして、第一のカッター１および第二のカッター２をそれぞれ回転させながら、一定高さ垂直移動（下降移動）させた後、右方向へやや水平移動させ、続いて、その逆の左方向へやや水平移動させる。これにより、第一のカッター１で木材３のほぼ左半部に第一半溝部４ａを形成すると共に、第二のカッター２で木材３のほぼ右半部に第二半溝部４ｂを形成し、両半溝部４ａ，４ｂによって直線状の溝４を形成する。
【００１４】
本実施形態においては、木材３の左側端部を反時計回り方向に回転する第一のカッター１で削り、右側端部を時計回り方向へ回転する第二のカッター２で削るので、それぞれの端部にバリ６が発生しない。これにより、後加工を必要とせず、見栄えに優れる木材製品（例えば、筋違い欠きを形成した間柱）を提供することができる。
【００１５】
なお、本実施形態では、第一のカッター１と第二のカッター２を移動させて木材３に溝４を形成するようにしているが、それに代えて、両カッター１，２を固定して、木材３を移動させて、あるいは両カッター１，２と木材３のそれぞれを移動させて溝４を形成することもできる。
【００１６】
本発明に係る木材の溝形成方法の第二実施形態を、図３に示す。これは、第一のカッター１と第二のカッター２を非同期（一部同期）で移動させて、木材３に直線状の溝４を形成するものである。すなわち、木材３の左右両側に、反時計回り方向に回転する第一のカッター１と、時計回り方向に回転する第二のカッター２をそれぞれ設ける。そして、第二のカッター２を左方向へ水平移動させて木材３の上面部に第二半溝部４ｂを形成した後、やや垂直移動（上昇移動）させた後、元の位置に復帰させる。第二のカッター２が復帰した後、または復帰を開始すると同時に、第一のカッター１を右方向へ移動させて木材３の上面部に第一半溝部４ａを形成し、やや垂直移動（上昇移動）させた後、元の位置に戻す。これにより、木材３の上面部に直線状の溝４を形成することができる。
【００１７】
本実施形態においても、木材３の左側端部は反時計回りに回転する第一のカッター１で削られ、右側端部は時計回りに回転する第二のカッター２で削られるので、溝４の左右側いずれの端部にもバリ６は発生しない。
【００１８】
本発明に係る木材の溝形成方法の第三実施形態を、図４に示す。これは、第一実施形態と同様に、第一のカッター１と第二のカッター２を同期して移動させながら直線状の溝４を形成するものである。この溝４は、両カッター１，２の肉厚より広く形成されているが、これは、両カッター１，２を前後に移動させながら、複数回、水平移動（左右方向）させることによって設けることができる。なお、この溝４は、木材３の側面に傾斜して形成される。
【００１９】
本発明に係る木材の溝形成方法は、第一実施形態および第二実施形態に示すように、木材３の側面に平行な溝４を形成することもできるし、第三実施形態に示すように、木材３の側面に傾斜する溝４を形成することもできる。
【図面の簡単な説明】
【００２０】
【図１】従来例に係る木材の溝形成方法を示すもので、（ａ）は正面図、（ｂ）は平面図である。
【図２】本発明に係る木材の溝形成方法の第一実施形態を示すもので、（ａ）は正面図、（ｂ）は平面図である。
【図３】本発明に係る木材の溝形成方法の第二実施形態を示す正面図である。
【図４】本発明に係る木材の溝形成方法の第三実施形態を示すもので、（ａ）は平面図、（ｂ）はその右側面図である。
【符号の説明】
【００２１】
１      第一のカッター
２      第二のカッター
３      木材
４      溝
４ａ    第一半溝部
４ｂ    第二半溝部
５      カッター
６      バリ
【図１】
2005297427.tif 000003
【図２】
2005297427.tif 000004
【図３】
2005297427.tif 000005
【図４】
2005297427.tif 000006